(57)【要約】      （修正有）【課題】使用する愛玩動物の身体サイズ等に容易に対応でき、設置及び片付け等の取扱性に優れる愛玩動物用遊具を提供する。【解決手段】伸縮自在な支柱体３と、第一係止部を有する踏板５と、第二係止部を有し、前記支柱体を把持する支柱体把持部７と、を具備し、前記第一係止部と前記第二係止部とが、互いに前記支柱体の軸方向と略同方向にスライドさせることにより係止可能であり、前記支柱体把持部によって前記支柱体を把持しつつ、前記踏板を前記支柱体に固定可能であること、を特徴とする愛玩動物用遊具１。【選択図】図１
2020120600.tif 000002
【特許請求の範囲】
【請求項１】
伸縮自在な支柱体と、
第一係止部を有する踏板と、
第二係止部を有し、前記支柱体を把持する支柱体把持部と、
を具備し、
前記第一係止部と前記第二係止部とが、互いに前記支柱体の軸方向と略同方向にスライドさせることにより係止可能であり、
前記支柱体把持部によって前記支柱体を把持しつつ、前記踏板を前記支柱体に固定可能であること、
を特徴とする愛玩動物用遊具。
【請求項２】
前記支柱体把持部が、第一部品と第二部品を具備し、
前記第一部品及び前記第二部品が、前記支柱体を挟んで把持しつつ、前記第二係止部を構成すること、
を特徴とする請求項１に記載の愛玩動物用遊具。
【請求項３】
前記支柱体把持部が、前記支柱体と当接する面の少なくとも一部に滑り止め部を具備すること、
を特徴とする請求項１又は２に記載の愛玩動物用遊具。
【請求項４】
前記支柱体把持部が、前記第一部品と前記第二部品の一部を連結又は係合して構成されるヒンジ部を具備し、
前記第一部品と前記第二部品が前記ヒンジ部を軸にして前記支柱体を挟むこと、
を特徴とする請求項２又は３に記載の愛玩動物用遊具。
【請求項５】
前記支柱体が、
軸棒と、
前記軸棒の一方の端部と螺子嵌合する上方当接部と、
前記軸棒の他方の端部と回転不能に嵌合する下方当接部と、
を具備して構成されること、
を特徴とする請求項１〜４のいずれかに記載の愛玩動物用遊具。
【発明の詳細な説明】
【技術分野】
【０００１】
本発明は、愛玩動物が昇降して遊戯可能な愛玩動物用遊具に関する。
【背景技術】
【０００２】
木を昇降する習性を持った猫等の愛玩動物は、当該習性から飼育環境内においても種々の段差を昇降する遊戯を好む。しかし、愛玩動物の室内飼育が一般的となった現代では、昇降可能な場所が少なく、また壁や家具等を爪で傷つけてしまう等の問題が発生するため、専用の昇降場所を提供する飼育者も少なくない。従来では、例えば特許文献１（特開２００２−３１５４６５号公報）に開示されるような猫用の遊戯装置が提供されており、より簡便に室内でも愛玩動物に昇降遊戯をさせることができるとされている。
【先行技術文献】
【特許文献】
【０００３】
【特許文献１】特開２００２−３１５４６５号公報
【発明の概要】
【発明が解決しようとする課題】
【０００４】
しかしながら、特許文献１の猫用の遊戯装置では、全てのポール部材と棚板を螺子嵌合で固定する必要があり、簡便に組み立てて設置することができない問題があった。また、固定構造が採用されているため、状況に応じて簡便に棚板の配置を変更することができず、設置位置の移動や片付け等を行うことも難しく、取扱性が良いとは言えなかった。
【０００５】
即ち、特許文献１に開示された猫用の遊戯装置に着目すると、全体の剛性向上を目的に各ポール部材と棚板とを直接的に螺子嵌合で接続する態様が採用されているため、設置後の変更が考慮されていないのは明白である。飼育の時間経過や状況に応じて愛玩動物の身体サイズが変化することは当然であるし、設置した室内の使用状況に応じて都度移動や片付けを要することは明らかであるから、これら問題に対応するためには未だ改善の余地があった。
【０００６】
そこで、本発明の目的は、上記問題に鑑みてなされたものであり、使用する愛玩動物の身体サイズ等に対応して容易に構造変更可能で、設置及び片付け等の取扱性に優れる愛玩動物用遊具を提供することにある。
【課題を解決するための手段】
【０００７】
上記の課題を解決すべく、本発明は、
伸縮自在な支柱体と、
第一係止部を有する踏板と、
第二係止部を有し、前記支柱体を把持する支柱体把持部と、
を具備し、
前記第一係止部と前記第二係止部とが、互いに前記支柱体の軸方向と略同方向にスライドさせることにより係止可能であり、
前記支柱体把持部によって前記支柱体を把持しつつ、前記踏板を前記支柱体に固定可能であること、
を特徴とする愛玩動物用遊具を提供する。
【０００８】
また、上記の本発明の愛玩動物用遊具においては、前記支柱体把持部が、第一部品と第二部品を具備し、前記第一部品及び前記第二部品が前記支柱体を挟んで把持しつつ、前記第二係止部を構成することが望ましい。
【０００９】
このような構成を有する本発明の愛玩動物用遊具では、天井面と床面の間で設置した支柱体に対して簡便に着脱可能な支柱体把持部を介して踏板を固定するため、支柱体に対する踏板の着脱及び位置調整を容易に行うことができる。また、使用する愛玩動物の身体サイズ等に対応して容易に構造変更可能であり、設置及び片付け等の取扱性にも優れる。
【００１０】
また、上記の本発明の愛玩動物用遊具においては、前記支柱体把持部が、前記支柱体と当接する面の少なくとも一部に滑り止め部を具備することが望ましい。
【００１１】
このような構成を有する本発明の愛玩動物用遊具では、支柱体と当接する面に滑り止め部を配設することによって、設置時における支柱体と支柱体把持部との位置ズレを防止することができる。
【００１２】
また、上記の本発明の愛玩動物用遊具においては、前記支柱体把持部が、前記第一部品と前記第二部品の一部を連結又は係合して構成されるヒンジ部を具備し、前記第一部品と前記第二部品が前記ヒンジ部を軸にして前記支柱体を挟むことが望ましい。
【００１３】
このような構成を有する本発明の愛玩動物用遊具では、第一部品と第二部品の回転軌道を定めることができ、双方を簡便に位置決めして支柱体把持部を構成することができる。また、同様に第一部品と第二部品の嵌合位置にズレが発生しないため、貫通孔及び第二係止部を適切な形状に構成することができる。
【００１４】
また、上記の本発明の愛玩動物用遊具においては、更に、
前記支柱体が、
軸棒と、
前記軸棒の一方の端部と螺子嵌合する上方当接部と、
前記軸棒の他方の端部と回転不能に嵌合する下方当接部と、
を具備して構成されることが望ましい。
【００１５】
このような構成を有する本発明の愛玩動物用遊具では、上方当接部を回転させることによって軸方向の高さ位置を任意に変更することができる。また、下方当接部と軸棒は回転不能なため、上方当接部を回転した際に軸棒の供回りを防止して支柱体の長さ寸法を簡便に調整することができる。
【発明の効果】
【００１６】
本発明により、使用する愛玩動物の身体サイズ等に容易に対応でき、設置及び片付け等の取扱性に優れる愛玩動物用遊具を提供することができる。
【図面の簡単な説明】
【００１７】
【図１】本実施形態に係る愛玩動物用遊具１の概要を示す模式図である。
【図２】踏板５の構造を示す図であって、図２（ａ）は、踏板５を斜め上方視した斜視図であり、図２（ｂ）は、踏板５を斜め下方視した斜視図である。
【図３】第一係止部１３の構造を示す図であって、図３（ａ）は、第一係止部１３の正面図であり、図３（ｂ）は、図３（ａ）における矢視Ａの断面図であり、図３（ｃ）は、図３（ｂ）における矢視Ｂの断面図である。
【図４】支柱体把持部７の構造を示す斜視図である。
【図５】第二係止部１５の構造を示す図であって、図５（ａ）は、第二係止部１５の正面図であり、図５（ｂ）は、図５（ａ）における矢視Ｃの断面図であり、図５（ｃ）は、図５（ｂ）における矢視Ｄの断面図である。
【図６】第一部品９及び第二部品１１の構造を示す図であって、図６（ａ）は、第一部品９及び第二部品１１を外側から見た斜視図であり、図６（ｂ）は、第一部品９及び第二部品１１の内側から見た斜視図である。
【図７】第一部品９と第二部品１１の嵌合態様を示す図であって、図７（ａ）は、軸体３１Ａとフック体３１Ｂを係合してヒンジ部３１を構成する態様を示す模式図であり、図７（ｂ）は、ヒンジ部３１を軸に第一部品９と第二部品１１を嵌合させる態様を示す模式図であり、図７（ｃ）は、第一部品９と第二部品１１を嵌合させて支柱体把持部７を構成した状態を示す模式図である。
【図８】支柱体３の構造を示す正面図である。
【図９】軸棒３７と上方当接部３３の接続態様を示す模式図である。
【図１０】本実施形態に係る愛玩動物用遊具１の使用方法を示す図であって、図１０（ａ）は、支柱体３の設置手順を示す模式図であり、図１０（ｂ）は、支柱体把持部７の固定手順を示す模式図であり、図１０（ｃ）は、踏板５の固定手順を示す模式図である。
【発明を実施するための形態】
【００１８】
以下、図面を参照しながら、本発明に係る愛玩動物用遊具の代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。なお、本実施形態では理解容易を図るため、各図面において、愛玩動物用遊具１が具備する支柱体３の径方向をＸ、軸方向をＺとして方向を定義する。
【００１９】
１．愛玩動物用遊具１の概要
図１を用いて、本実施形態に係る愛玩動物用遊具１の概要について説明する。図１は、愛玩動物用遊具１の概要を示す模式図である。愛玩動物用遊具１は、猫を代表とする種々の愛玩動物を対象とし、昇降遊戯をさせるための遊具であって、図１に示すとおり、支柱体３を天井面と床面の間で突っ張り、支柱体３に対して複数の踏板５をそれぞれ軸方向Ｚの高さを異にして固定するものである。なお、図１においては、天井面及び床面は省略している。支柱体３と踏板５の固定には、支柱体把持部７を介して行う態様を備えており、支柱体３に対する踏板５の着脱及び位置調整を簡便に行うことができる特徴を有する。
【００２０】
２．愛玩動物用遊具１の構造
愛玩動物用遊具１は、伸縮自在な支柱体３と、第一係止部１３を有する踏板５と、第二係止部１５を有し、支柱体３を把持する支柱体把持部７と、を具備し、第一係止部１３と第二係止部１５の係止態様が、支柱体３の軸方向Ｚと略同方向のスライド係止であり、双方を係止させることにより、支柱体把持部７による支柱体３の把持状態を維持しつつ、踏板５を支柱体３に固定すること、を特徴とする。
【００２１】
＜踏板５の構造＞
図２を用いて、本実施形態に用いる踏板５の構造について詳細に説明する。図２は踏板５の構造を示す図であって、図２（ａ）は、踏板５を斜め上方視した斜視図であり、図２（ｂ）は、踏板５を斜め下方視した斜視図である。図２（ａ）及び（ｂ）に示すとおり、踏板５は、愛玩動物を乗せるための棚板部１９と、踏板５を支柱体３に着脱するための第一係止部１３と、を具備して構成されたものである。
【００２２】
棚板部１９は、使用時に愛玩動物が乗り上げる部品であって、径方向Ｘと略平行かつ軸方向Ｚの上方に対向する略円盤状の平滑面２１を具備し、かつ端縁の一部には愛玩動物用遊具１を設置した際に支柱体３を挿通するための切欠き２３が設けられている。なお、棚板部１９及び切欠き２３の形状については、使用する愛玩動物の身体サイズや体重に応じて適宜決定すればよい。
【００２３】
第一係止部１３は、平滑面２１と反対側の面、及び切欠き２３近傍に配設されており、後述する第二係止部１５と軸方向Ｚにスライド係止する部位である。第一係止部１３のスライド係止方向と平滑面２１とは略直交しており、第一係止部１３と第二係止部１５を係止させて踏板５を支柱体３に固定した際、平滑面２１を軸方向Ｘの上方（天井面１０１）に対向させることができる。
【００２４】
次に、図３を用いて第一係止部１３の構造について詳細に説明する。図３は、第一係止部１３の構造を示す図であって、図３（ａ）は、第一係止部１３の正面図であり、図３（ｂ）は、図３（ａ）における矢視Ａの断面図であり、図３（ｃ）は、図３（ｂ）における矢視Ｂの断面図である。
【００２５】
図３（ａ）（ｂ）（ｃ）に示すとおり、第一係止部１３は、軸方向Ｚに延びる略溝状の部位であって、後述する第二係止部１５の段状突起２５と係止する段状溝２７を内部側面に具備している。本実施形態で用いる第一係止部１３は、軸方向Ｚに延びる略直方体の溝状に形成されており、長さ寸法Ｗ１を８ｃｍ〜１８ｃｍ、幅寸法Ｗ２を０．５ｃｍ〜２．５ｃｍ、及び深さ寸法Ｈ１を０．８ｃｍ〜２．８ｃｍの範囲で決定することが望ましい。
【００２６】
段状溝２７は、第一溝２７Ａ、第二溝２７Ｂ、及び第三溝２７Ｃの三つの溝から構成されており、第一係止部１３の両側面で軸方向Ｚと略直交する方向に窪んでいる。また、これら三つの溝は、軸方向Ｚの下方側端部を揃え、上方側端部を第一溝２７Ａ＜第二溝２７Ｂ＜第三溝２７Ｃとなるよう軸方向Ｚの長さ寸法を異にして形成されている。
【００２７】
また、各溝は、第一係止部１３の底側から第一溝２７Ａ、第二溝２７Ｂ、第三溝２７Ｃの順番、かつ所定の離隔寸法で配設されることが望ましい。なお、各溝の断面形状及び各溝間の離隔距離は、後述する段状突起２５と適切にスライド係合するように決定すればよい。
【００２８】
＜支柱体把持部７の構造＞
続いて、図４を用い、支柱体把持部７の構造について詳細に説明する。図４は、支柱体把持部７の構造を示す斜視図である。図４に示すとおり、支柱体把持部７は、第一部品９と第二部品１１を具備して構成され、双方を嵌合させる（換言すると、双方を突き合わせて合掌するように挟む）ことで支柱体３を囲繞して把持しつつ、第二係止部１５を構成するものである。
【００２９】
また、支柱体把持部７には、軸方向Ｚに貫通する貫通孔２９が設けられており、この貫通孔２９内部に支柱体３を挿通させて、支柱体把持部７で支柱体３を挟んで囲繞する。この貫通孔２９は、第二係止部１５と同様に第一部品９と第二部品１１を嵌合することによって構成される部位である。なお、支柱体把持部７の各部の寸法については、使用する支柱体３及び使用する愛玩動物の身体サイズや体重に応じて適宜決定すればよい。
【００３０】
第二係止部１５は、支柱体把持部７の側面に配設されており、上述した第一係止部１３と軸方向Ｚにスライド係止する部位である。第二係止部１５のスライド係止方向と貫通孔２９の孔軸とは略平行であり、第一係止部１３と第二係止部１５を係止させて踏板５を支柱体３に固定した際、平滑面２１を軸方向Ｘの上方（天井面１０１）に対向させることができる。
【００３１】
次に、図５を用いて第二係止部１５の構造について詳細に説明する。図５は、第二係止部１５の構造を示す図であって、図５（ａ）は、第二係止部１５の正面図であり、図５（ｂ）は、図５（ａ）における矢視Ｃの断面図であり、図５（ｃ）は、図５（ｂ）における矢視Ｄの断面図である。
【００３２】
図５（ａ）（ｂ）（ｃ）に示すとおり、第二係止部１５は、軸方向Ｚの上方から下方に向って登る略階段状に形成された突状片であって、更に上述した第一係止部１３の段状溝２７と係止する段状突起２５を両側面に具備している。
【００３３】
段状突起２５は、第一突起２５Ａ、第二突起２５Ｂ、及び第三突起２５Ｃの三つの突起から構成されており、第二係止部１５の両側面から軸方向Ｚと略直交する方向に突出している。また、これら三つの突起は、軸方向Ｚの下方側端部を揃え、上方側端部を第一突起２５Ａ＜第二突起２５Ｂ＜第三突起２５Ｃとなるよう軸方向Ｚの長さ寸法を異にして形成されている。なお、第二係止部１５の略階段状に形成された段差は、上記突起の軸方向Ｚの上方側端部に沿って形成することが望ましい。
【００３４】
また、各突起は、支柱体把持部７側から第三突起２５Ｃ、第二突起２５Ｂ、第一突起２５Ａの順番、かつ所定の離隔寸法で配設されることが望ましい。また、各突起の断面形状及び各突起間の離隔距離は、上述した段状溝２７と適切にスライド係合するように決定すればよい。
【００３５】
上述のような構造の第一係止部１３と第二係止部１５では、段状突起２５と段状溝２７が互いに噛み合うため、双方の係合が意図せず解除されることがない。また、第二係止部１５が階段状に形成されているため、第一係止部１３内に差し込み易く、双方のスライド係止を簡便に行うことができる。
【００３６】
次に、図６を用いて、第一部品９及び第二部品１１の構造を詳細に説明する。図６は、第一部品９及び第二部品１１の構造を示す図であって、図６（ａ）は、第一部品９及び第二部品１１を外側から見た斜視図であり、図６（ｂ）は、第一部品９及び第二部品１１の内側から見た斜視図である。上述したとおり、第一部品９及び第二部品１１は、双方を径方向Ｘに嵌合させることで支柱体把持部７を構成する部品である。
【００３７】
図６（ａ）及び（ｂ）に示すとおり、第一部品９及び第二部品１１は、支柱体把持部７の略中間で軸方向Ｚに分断して形成されており、双方が第二係止部１５及び貫通孔２９の略半分を具備している。より具体的には、第一部品９が、第二係止部１５を構成する第一構成片１５Ａ、及び貫通孔２９を構成する第一構成溝２９Ａを具備し、第二部品１１が、第二係止部１５を構成する第二構成片１５Ｂ、及び貫通孔２９を構成する第二構成溝２９Ｂを具備する。
【００３８】
第一部品９及び／又は第二部品１１が、支柱体３と当接する面（第一構成溝２９Ａ及び第二構成溝２９Ｂの表面）に滑り止め部１７を具備することが望ましい。貫通孔２９を構成する第一構成溝２９Ａ及び第二構成溝２９Ｂは、設置時に支柱体３と当接する部位であるため、滑り止め部１７を配設することによって設置時における支柱体３と支柱体把持部７との位置ズレを防止することができる。滑り止め部１７は、例えばゴムや樹脂等の弾性部材で構成するのが好ましい。
【００３９】
支柱体把持部７が、第一部品９と第二部品１１の一部を連結又は係合して構成したヒンジ部３１を具備し、第一部品９と第二部品１１がヒンジ部３１を軸にして嵌合することが望ましい。第一部品９と第二部品１１は、第一係止部１３と第二係止部１５を係止させることによって双方の嵌合状態を固定するが、当該固定を容易かつ確実に行うため、及び第一部品９と第二部品１１の嵌合状態における相対位置を位置決めするため、ヒンジ部３１が設けられている。
【００４０】
本実施形態では、第一部品９及び第二部品１１の双方の一部を係合することによりヒンジ部３１を構成する態様を採用しており、第一部品９が、軸方向Ｚに伸びる略棒状の軸体３１Ａを具備し、第二部品１１が、この軸体３１Ａと係合する略コの字状のフック体３１Ｂを具備している。
【００４１】
続いて、図７を用い、第一部品９と第二部品１１の嵌合態様について詳細に説明する。図７は、第一部品９と第二部品１１の嵌合態様を示す図であって、図７（ａ）は、軸体３１Ａとフック体３１Ｂを係合してヒンジ部３１を構成する態様を示す模式図であり、図７（ｂ）は、ヒンジ部３１を軸に第一部品９と第二部品１１を嵌合させる態様を示す模式図であり、図７（ｃ）は、第一部品９と第二部品１１を嵌合させて支柱体把持部７を構成した状態を示す模式図である。
【００４２】
図７（ａ）に示すとおり、第一部品９の軸体３１Ａと、第二部品１１のフック体３１Ｂと、を係合させる。より具体的には、第一構成溝２９Ａと第二構成溝２９Ｂを対向させた状態で双方を接近させ、適宜角度を調整しつつ軸体３１Ａとフック体３１Ｂを係合させる。なお、本実施形態では、第一部品９と第二部品１１を嵌合させて貫通孔２９を構成した状態では、軸体３１Ａとフック体３１Ｂの係合が外れないように構成している。
【００４３】
図７（ｂ）及び（ｃ）に示すとおり、ヒンジ部３１を軸にして第一部品９と第二部品１１の角度を変更することによって双方を完全に突き合わせて嵌合し、支柱体把持部７を構成する。ヒンジ部３１を軸にすることによって、第一部品９と第二部品１１の回転軌道を定めることができ、双方を簡便に位置決めして支柱体把持部７を構成することができる。また、同様に第一部品９と第二部品１１の嵌合位置にズレが発生しないため、貫通孔２９及び第二係止部１５を適切な形状に構成することができる。
【００４４】
＜支柱体３の構造＞
次に、図８を用いて、支柱体３の構造について詳細に説明する。図８は、支柱体３の構造を示す正面図である。支柱体３は、軸棒３７と、軸棒３７の一方の端部と螺子嵌合する上方当接部３３と、軸棒３７の他方の端部と回転不能に嵌合する下方当接部３５と、を具備して構成されている。
【００４５】
軸棒３７は、所定の強度を要する略棒状の部品であって、種々の金属や木材、紙材等を用いて形成することができる。また、表面は樹脂等を被覆し、腐食を防止することが望ましい。本実施形態では一本の軸棒３７を採用しているが、例えば複数本の短尺棒状部品を継ぐことで軸棒３７を構成する態様としてもよい。なお、軸棒３７の長さ寸法は、使用する設置場所の高さ方向の寸法（天井高寸法等）に応じて適宜決定すればよい。
【００４６】
上方当接部３３及び下方当接部３５は、軸棒３７の両端に接続する部品であって、軸棒３７と、天井面及び床面と、の当接を補助し、安定させるものである。上方当接部３３及び下方当接部３５は、共に天井面及び床面に当接するための当接面３９を備えており、この当接面３９と略直交する方向に軸棒３７を接続するように構成されている。なお、図８においては、天井面及び床面は省略している。
【００４７】
上方当接部３３の構造は、上記位置変更を可能とするものであれば特に限定されるものではないが、例えばナット４３を具備する当接部品３３Ａとボルト４１を具備する位置調整部品３３Ｂとを具備して構成する態様を採用することができる（後述する図９参照）。
【００４８】
図９を用いて、軸棒３７と上方当接部３３の接続態様について詳細に説明する。図９は、軸棒３７と上方当接部３３の接続態様を示す模式図である。図９に示すとおり、軸棒３７と上方当接部３３は、螺子嵌合によって接続することが望ましい。より具体的には、位置調整部品３３Ｂを軸棒３７の一方の端部で回転可能に係合させつつボルト４１を軸方向Ｚに突出し、当接部品３３Ａの底部略中央に配設したナット４３と螺子嵌合させる。
【００４９】
上記態様で上方当接部３３を構成することにより、位置調整部品３３Ｂを回転させることでボルト４１とナット４３の螺子嵌合状態が変更されるため、当接部品３３Ａと位置調整部品３３Ｂとの軸方向Ｚの高さ位置を変更することが可能となり、設置場所の高さ寸法に応じて支柱体３の長さ寸法を簡便に調整することができる。なお、上述のとおり下方当接部３５と軸棒３７とは回転不能な態様であるため、位置調整部品３３Ｂを回転した際に軸棒３７が供回りすることを防止する。
【００５０】
３．愛玩動物用遊具１の使用方法
次に、図１０を用いて、本実施形態に係る愛玩動物用遊具１の使用方法について詳細に説明する。図１０は、本実施形態に係る愛玩動物用遊具１の使用方法を示す図であって、図１０（ａ）は、支柱体３の設置手順を示す模式図であり、図１０（ｂ）は、支柱体把持部７の固定手順を示す模式図であり、図１０（ｃ）は、踏板５の固定手順を示す模式図である。
【００５１】
まず、支柱体３を所望の設置場所に設置する。なお、ここでは、室内の天井面１０１と床面１０３の間に設置する例を代表して説明する。図１０（ａ）に示すとおり、天井面１０１と床面１０３の間に支柱体３を載置し、床面１０３に下方当接部３５を当接した状態で、天井面１０１に上方当接部３３を当接させる。
【００５２】
天井面１０１と上方当接部３３との間に空間が存在してしまう場合は、上方当接部３３を回転させて軸方向Ｚの高さ位置を変更し、天井面１０１と当接させる。なお、支柱体３は、天井面１０１と床面１０３との間で、軸方向Ｚの上下方に対する適切なテンションを維持（突っ張り）させて設置することが望ましい。
【００５３】
次に、設置した支柱体３に対して支柱体把持部７を固定する。図７（ａ）（ｂ）（ｃ）及び図１０（ｂ）に示すとおり、第一部品９と第二部品１１によって支柱体把持部７を構成しつつ、貫通孔２９内で支柱体３を囲繞して把持する。この時、支柱体３に対する支柱体把持部７の位置は、後に固定する踏板５の固定位置（換言すると、愛玩動物が乗り上げる位置）を想定して決定することが望ましい。
【００５４】
続いて、支柱体把持部７に踏板５を固定する。図１０（ｃ）に示すとおり、支柱体把持部７の第一係止部１３に踏板５の第二係止部１５をスライド係止させることで支柱体把持部７に対して踏板５を固定することができる。
【００５５】
第二係止部１５は、第一係止部１３に対して軸方向Ｚの上方から下方にスライド係止させる態様であるため、双方のスライド係止が完了すると踏板５が支柱体把持部７に支持される。よって、踏板５に印加される荷重は支柱体把持部７を介して支柱体３に伝達し、天井面１０１と床面１０３に支持させることができる。
【００５６】
支柱体３に対して、複数の支柱体把持部７及び踏板５を所望の間隔で固定することにより、愛玩動物は固定した踏板５を任意に昇降遊戯することができる。また、容易に着脱可能な支柱体把持部７を介して踏板５を固定するため、支柱体３に対する踏板５の着脱及、位置調整、及び角度調整を簡便に行うことができる。
【００５７】
以上、本発明の代表的な実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれる。
【産業上の利用可能性】
【００５８】
本実施形態の愛玩動物用遊具は、使用する愛玩動物の身体サイズ等に容易に対応でき、設置及び片付け等の取扱性に優れるものである。
【符号の説明】
【００５９】
１      愛玩動物用遊具
３      支柱体
５      踏板
７      支柱体把持部
９      第一部品
１１    第二部品
１３    第一係止部
１５    第二係止部
１５Ａ  第一構成片
１５Ｂ  第二構成片
１７    滑り止め部
１９    棚板部
２１    平滑面
２３    切欠き
２５    段状突起
２５Ａ  第一突起
２５Ｂ  第二突起
２５Ｃ  第三突起
２７    段状溝
２７Ａ  第一溝
２７Ｂ  第二溝
２７Ｃ  第三溝
２９    貫通孔
２９Ａ  第一構成溝
２９Ｂ  第二構成溝
３１    ヒンジ部
３１Ａ  軸体
３１Ｂ  フック体
３３    上方当接部
３３Ａ  当接部品
３３Ｂ  位置調整部品
３５    下方当接部
３７    軸棒
３９    当接面
４１    ボルト
４３    ナット
４５    軸棒挿入穴
１０１  天井面
１０３  床面
Ｗ１    長さ寸法
Ｗ２    幅寸法
Ｗ３    深さ寸法
Ｗ４    寸法
【図１】
2020120600.tif 000003
【図２】
2020120600.tif 000004
【図３】
2020120600.tif 000005
【図４】
2020120600.tif 000006
【図５】
2020120600.tif 000007
【図６】
2020120600.tif 000008
【図７】
2020120600.tif 000009
【図８】
2020120600.tif 000010
【図９】
2020120600.tif 000011
【図１０】
2020120600.tif 000012